(57)【特許請求の範囲】
【請求項１】
ブロック本体の一側部に複数のリレー収容部を設けていると共に、他側部にヒューズ収容部を並設し、該ヒューズ収容部の下部に下端開口の収容部を設け、該収容部にバスバーを内蔵したバスバー用ケースを挿入してロック固定し、
上記バスバーは１枚板を打抜加工した後に屈折させ、上記バスバー用ケース内に垂直配置する部分に細幅とした複数のヒュージブルリンク部を設け、該ヒュージブルリンク部の上方で水平に屈折させ、該水平屈折部を上記ブロック本体の前記ヒューズ収容部の下面とバスバー用ケースの上端載置面との間に挟持し、かつ、該水平屈折部の先端より複数の上記端子を垂直方向に屈折させ、これら端子を上記ブロック本体に設けた上記ヒューズ収容部の端子穴に突出させ、これらヒューズ収容部に差し込み接続するヒューズの入力端子と接続させる一方、
上記垂直配置部の下端に複数の外部回路接続用端子を設け、上記バスバー用ケースに形成した端子収容室に突出させ、該端子収容室に挿入係止する電線端末の端子と接続させることを特徴とする自動車用電気接続箱。
【請求項２】
上記バスバーに設ける外部回路接続用端子は、電源に接続した電線端末の端子と雌雄嵌合させる形状としている請求項１に記載の自動車用電気接続箱。
【請求項３】
上記バスバーのヒュージブルリンク部を囲む領域に樹脂モールドし、この状態で上記バスバー用ケースの収容部に内蔵している請求項１または請求項２に記載の自動車用電気接続箱。
【請求項４】
上記バスバーのヒュージブルリンク部を囲む領域に保護枠を取り付け、該保護枠の内部とバスバーのいずれか一方にランス部を突設すると共に、いずれか他方にランス係止部を設けて係止し、該保護枠を取り付けた状態で上記バスバー用ケースに内蔵している請求項１または請求項２に記載の自動車用電気接続箱。
【請求項５】
上記ヒューズ収容部に並設して予備ヒューズ取付部あるいは／およびヒューズプラーの取付部を設けている請求項１乃至請求項４のいずれか１項に記載の自動車用電気接続箱。
【発明の詳細な説明】
【０００１】
【発明の属する技術分野】
本発明は、自動車用電気接続箱に関し、詳しくは、別部品のヒュージブルリンクを搭載することなく大容量ヒューズを設けたリレーボックスに関するものである。
【０００２】
【従来の技術】
従来、自動車に搭載する電気接続箱のうち、バッテリーに接続されるリレーボックス１は図７（Ａ）に示す構成とされており、リレーボックス１の上面にヒュージブルリンク搭載部２、リレー搭載部３、ヒューズ搭載部４を設け、これら各搭載部２〜４にそれぞれヒュージブルリンク、リレー、ヒューズの端子を差し込んで搭載している。上記ヒュージブルリンクとリレーとは電線を介して接続し、リレーとヒューズとはリレーボックス１の内部に収容したバスバーを介して接続させている。上記リレー、ヒューズの出力側の端子には、リレーボックス１の底面側に設けている端子収容部５に電線端末の端子（図示せず）を挿入係止して接続している。
また、図７（Ｂ）に示すように電源線ｗの端末にはボルト止め端子７を接続し、リレーボックス内のバスバー６とボルト８により結合して電気接続している。
【０００３】
【発明が解決しようとする課題】
上記リレーボックス１では、ヒュージブルリンク搭載部２、リレー搭載部３、ヒューズ搭載部４を全てリレーボックス１の上面に備えているため、リレーボックス１の面積が大きくなる問題があり、車両内の限られた搭載スペースに収めるためにはリレーボックスの平面スペースを小さくする必要がある。
また、リレーボックス１に別部品のヒュージブルリンクを搭載し、該ヒュージブルリンクをリレーと電線を介して接続するため、作業手数がかかると共に部品点数も多くなる問題がある。
【０００４】
さらに、電源線ｗとバスバー６との接続に用いられているボルト締め構造は、端子７の他にボルト８を用いてボルト締めする必要があり、部品点数および作業工数が掛かる問題がある。上記ボルト締め構造に代えてコネクタ接続を行ったとしても、電線側にコネクタを、ブロック本体側にはコネクタハウジングのスペースを設ける必要があり、部品点数の増大およびリレーボックスの大型化の問題が生じる。
【０００５】
本発明は、上記問題に鑑みてなされたもので、ヒュージブルリンクの搭載、ヒュージブルリンクとリレーとの電線接続を廃止して作業手数を低減すると共にリレーボックスの平面スペースを小さくし、さらに、電源線とのボルト締め接続を廃止することを課題としている。
【０００６】
【課題を解決するための手段】
上記課題を解決するため、本発明は、ブロック本体の一側部に複数のリレー収容部を設けていると共に、他側部にヒューズ収容部を並設し、該ヒューズ収容部の下部に下端開口の収容部を設け、該収容部にバスバーを内蔵したバスバー用ケースを挿入してロック固定し、
上記バスバーは１枚板を打抜加工した後に屈折させ、上記バスバー用ケース内に垂直配置する部分に細幅とした複数のヒュージブルリンク部を設け、該ヒュージブルリンク部の上方で水平に屈折させ、該水平屈折部を上記ブロック本体の前記ヒューズ収容部の下面とバスバー用ケースの上端載置面との間に挟持し、かつ、該水平屈折部の先端より複数の上記端子を垂直方向に屈折させ、これら端子を上記ブロック本体に設けた上記ヒューズ収容部の端子穴に突出させ、これらヒューズ収容部に差し込み接続するヒューズの入力端子と接続させる一方、
上記垂直配置部の下端に複数の外部回路接続用端子を設け、上記バスバー用ケースに形成した端子収容室に突出させ、該端子収容室に挿入係止する電線端末の端子と接続させることを特徴とする自動車用電気接続箱を提供している。
【０００７】
上記構成とすると、上記バスバーに細幅部分を設けてヒュージブルリンク部を一体形成しているので、別部品としてのヒュージブルリンクを必要とせず、部品点数を低減することができる。
さらに、上記バスバーの一端側にブロック本体側と接続する端子を突出してヒューズと接続しているため、ヒュージブルリンクとヒューズとを電線を介在させずに接続することができる。
また、バスバーの他端側に外部回路接続用端子を設けて、上記バスバー用ケースの端子収容室に挿入係止する電線端末の端子と直接接続することで、電源線とヒュージブルリンクとの接続も、従来のボルト締め構造と比べて部品点数および作業手数が低減できる。
【０００９】
上記リレーボックスでは、上記バスバーのうちヒュージブルリンク部と外部回路接続用端子を含む主要部分を垂直配置しているため、リレーボックスの平面スペースを小さくすることができる。
また、上記バスバーのうちヒュージブルリンク部の上方で水平に屈折させ、該水平屈折部をブロック本体とバスバー用ケースとの間で挟持しているので、該水平屈折部の先端を垂直方向に屈折させた端子にヒューズを差し込み接続する際に、ヒューズを押し込む力が細幅のヒュージブルリンク部に負荷されるのを防ぐことができ、ヒュージブルリンク部の保護を図ることができる。
【００１０】
上記バスバーのヒュージブルリンク部を囲む領域を樹脂モールドし、この状態で上記バスバー用ケースの収容部に内蔵している。
あるいは、上記バスバーのヒュージブルリンク部を囲む領域に保護枠を取り付け、該保護枠の内部とバスバーのいずれか一方にランス部を突設すると共に、いずれか他方にランス係止部を設けて係止し、該保護枠を取り付けた状態で上記バスバー用ケースに内蔵している。
上記のように、ヒュージブルリンク部を囲む領域の補強を図ると、細幅として変形し易いヒュージブルリンク部の保護を図ることができ、ブロック本体内に突出させてヒューズと嵌合する端子に、負荷がかかった時にヒュージブルリンク部に応力集中を発生させない構成とすることができる。
【００１１】
さらにブロック本体の上記ヒューズ収容部に並設して、予備ヒューズ収容部やヒューズプラーの取付部を設けていることが好ましい。
上記構成とすると、リレーブロックにおいて必要な予備ヒューズおよびヒューズプラーを効率よくスペース取りすることができる。
【００１２】
【発明の実施の形態】
本発明の実施形態を図面を参照して説明する。
図１乃至図４は第１実施形態を示す。
第１実施形態のリレーボックス１０は、ブロック本体１１に、バスバー２５を収容したバスバー用ケース１８を組み込む構成としている。
【００１３】
ブロック本体１１は、上面１４の一側にリレー収容部１３とコネクタ収容部１７を設けていると共に、他側にヒューズ収容部１２を複数並設しており、ヒューズ収容部１２に隣接した領域の下方に上面１４を介してケース収容部１５を下面開口させて設け、該ケース収容部１５にバスバー用ケース１８を組み込んでいる。
ブロック本体１１の周壁１６は、ケース収容部１５の領域を下方に延在させて側面視でＬ形状としていると共に、ケース収容部１５の内壁にはバスバー用ケース１８を固定する被ロック部１５ａを形成している。
なお、ブロック本体１１の上面１４の空きスペースに予備ヒューズ収容部とヒューズプラー収容部を設けていてもよい。
【００１４】
バスバー２５は、図４（Ａ）に示すように、１枚の導電性金属板を打抜加工して形成しており、垂直配置部２５ａと、該垂直配置部２５ａの上端をラインＬ１で屈折させて水平屈折部２５ｂを設け、該水平屈折部２５ｂの先端より複数のヒューズ接続用の端子２５ｃを並列に突出させ、各端子２５ｃには上端より圧接スロット２５ｃ−１を切り欠いている。
上記垂直配置部２５ａには複数に分岐させた片２５ｄを設け、これら片２５ｄの下端を外部回路接続用端子２５ｅとして並設している。
また、上記一部の片２５ｄの途中に細幅としてＳ字状に屈曲させたヒュージブルリンク部（ＦＬ部）２５ｆを一体的に形成している。さらに、水平屈折部２５ｂにも細幅とした直線状のヒュージブルリンク部２５ｇを１つ形成している。
【００１５】
３個のヒュージブルリンク部２５ｆを形成している垂直配置部２５ａは下端部分を除いて樹脂モールド部分Ｍを設けている。該樹脂モールド部分Ｍは図４（Ａ）中で二点鎖線で囲む部分をモールドし、ヒュージブルリンク部２５ｆの部分はモールドせずに、過電流時に溶断できるようにしている。
【００１６】
このようにヒュージブルリンク部２５ｆ、２５ｇを一体的に形成したバスバー２５は図４（Ｂ）に示すように、上端のヒューズ接続用の端子２５ｃと下端の外部回路接続用端子２５ｅとをオフセット配置としている。
【００１７】
バスバー用ケース１８は、バスバー２５の水平屈折部２５ｂを上面に載置する上端載置部１８ａと、該上端載置部１８ａの一側下面よりバスバーの垂直配置部２５ａを内蔵する垂直部１８ｂを備え、該垂直部１８ｂに上面開口のバスバー収容空間１８ｃを設けている。垂直部１８ｂと上端載置部１８ａの他端との間に三角形状の支持部１８ｄを間隔をあけて設けている。
さらに、上記垂直部１８ｂの下部は、バスバー２５の下部に形成した外部回路接続用端子２５ｅを夫々収容する端子収容室１８ｅを貫通孔１９を介して連通させていると共に、コネクタ収容部１８ｇを設けている。
【００１８】
さらに、バスバー用ケース１８には、垂直部１８ｂの両側外面にケース収容部１５の被ロック部１５ａと係止するロック爪１８ｆを突出している。
【００１９】
リレーボックス１０の組み立ては、バスバー２５を内蔵したバスバー用ケース１８をブロック本体１１の下方よりケース収容部１５に挿入し、ロック固定している。
この組みつけ状態でバスバー２５の端子２５ｃは、図１（Ｂ）に示すように、ヒューズ収容部１２の入力側端子穴１２ａに下方より挿入される。また、バスバー２５の水平屈折部２５ｂがヒューズ収容部１２にラップするように上面１４にて上方より押さえられ、バスバー用ケースの上端載置部１８ａとの間で挟持固定される。
【００２０】
上記バスバーの端子２５ｃには、ヒューズ収容部１２に差し込み接続されるヒューズ３０の入力端子３０ａが圧接スロット２５ｃー１に挿入されることにより電気接続が為される。
さらに、バスバー用ケース１８には、電線ｗ２の先端に圧着された端子Ｔ２を挿入係止して、バスバー２５の外部回路接続用端子２５ｅと嵌合接続している。なお、電線ｗ２の端末をコネクタ（図示せず）に挿入しておき、このコネクタをバスバー用ケースの下部に設けたコネクタ部と嵌合させて、端子同士を接続してもよい。
上記電線ｗ２の一部は電源線からなり、電源線の端末に圧着した端子をバスバー２５の端子２５ｅにワンタッチで直接嵌合して接続している。
上記構成とすることで、電源→ヒュージブルリンク→ヒューズと連続する回路を形成することができる。
【００２１】
上記ヒューズ３０の出力端子３０ｂの一部は、図１（Ｂ）に示すように、ヒューズ収容部１２の下部に設けた端子収容室１２ｃに挿入係止される電線ｗ１の端末の端子Ｔ１と接続している。
また、ヒューズの出力端子３０ｂの一部は、ブロック本体１１内に収容しているバスバー（図示せず）を介して、リレー収容部１３に搭載するリレーの端子、コネクタ収容部１７に収容するコネクタ内の端子と接続している。
【００２２】
上記構成からなるリレーボックス１０では、バスバー２５の主要部分（垂直配置部２５ａ）を垂直配置しているため、リレーボックス１０の平面スペースを小さくできる。また、バスバー２５に細幅のヒュージブルリンク部２５ｆ、２５ｇを一体形成しているので、別部品としてのヒュージブルリンクを必要とせず、部品点数を低減することができる。
【００２３】
さらに、バスバー２５の下端に外部回路接続用端子２５ｅに電源線等の電線ｗ２の端子Ｔ２と直接接続（あるいはコネクタ接続）することで、従来のボルト締め構造と比べて部品点数よび作業手数が低減できる。
また、バスバー２５をオフセット状態で収容して水平屈折部２５ｂをブロック本体のヒューズ収容部１２とバスバー用ケース１８の上端載置部１８ａとの間で挟持し、さらに、バスバー２５のヒュージブルリンク部２５ｆを樹脂モールドしているため、端子２５ｃにヒューズ３０の入力端子３０ａを差し込み接続される際に、ヒューズ３０を押し込む力が細幅のヒュージブルリンク部２５ｆに集中的に負荷されることを防ぐことができ、ヒュージブルリンク部２５ｆを保護することができる。
【００２４】
さらにまた、垂直方向に配置するバスバー２５を別体のバスバー用ケース１８に収容した後、そのバスバー用ケース１８をブロック本体１１の収容部１５に挿入固定する構成とすることで、垂直方向のバスバー２５をブロック本体１１に直接組み込む場合に比べて、リレーボックス１０の形状が複雑にならずに済む利点もある。
【００２５】
なお、上記実施形態では、バスバー２５のヒュージブルリンク部２５ｆが位置する垂直配置部２５ａをモールドしているが、両端の端子２５ｃ、２５ｅだけを露出させ、他の部分を全て樹脂モールドして、バスバー用ケース１８内に組み込んでもよいし、ヒュージブルリンク部２５ｆの周りのみモールドしてもよい。
【００２６】
図５（Ａ）（Ｂ）は第２実施形態を示す。
バスバー２５のヒュージブルリンク部を囲む部分を樹脂モールドせずに、保護枠４０内に収容している。
図５（Ａ）の実施形態では、バスバー２５に切り起こしでランス部２５ｉを形成する一方、保護枠４０の内面に係止溝４１を設けて、該係止溝４１にランス部２５ｉを挿入係止している。
図５（Ｂ）の実施形態では、バスバー２５に係止溝２５ｊを形成する一方、保護枠４０にランス部４２を突設して、係止溝２５ｊに挿入係止している。
他の構成および作用は第１実施形態と同様であるため説明を省略する。
【００２７】
図６は第３実施形態を示す。
バスバー２５には水平屈折部を設けずに、垂直配置部２５ａの上端を真っすぐに突出させ、その先端にヒューズ接続用の端子２５ｃを形成している。
この場合、ブロック本体には、バスバー用ケースの収容部の上面にヒューズ収容部を設けている。
上記のようにバスバーをオフセットしない形状としても、バスバー２５に樹脂モールド部Ｍを設けていると共に、該樹脂モールド部Ｍをバスバー用ケース１８の収容空間に位置決め保持し、該バスバー用ケース１８をケース収容部１５内にロック固定しているため、端子２５ｃをヒューズ収容部１２の入力端子側に位置決め保持することができる。
【００２８】
【発明の効果】
以上の説明より明らかなように、本発明によれば、バスバーに細幅部分を設けてヒュージブルリンク部を一体形成しているので、別部品としてのヒュージブルリンクを必要とせず、かつ、ヒュージブルリンクとヒューズ、リレー等を電線を介して接続する必要がないため、部品点数および作業手数を低減できる。
【００２９】
また、ヒュージブルリンク部を一体的に設けたバスバーをバスバー用ケースに予め内蔵させ、このバスバー用ケースをブロック本体に垂直方向に組み込むため、ブロック本体の平面スペースを小さくでき、リレーボックスの小型化を図ることができる。かつ、バスバーに形成したヒュージブルリンク部をバスバー用ケースに保持した状態でブロック本体に取り付けるため、バスバーの取付作業時に細幅としたヒュージブルリンク部に曲げや損傷等が発生するのを防止できる。特に、バスバー用ケースにバスバーをモールドすると、バスバーを確実に保護出来る。
【００３０】
さらに、バスバーは水平に屈折させて、その水平屈折部をブロック本体とバスバー用ケースとの間で挟持するので、水平屈折部の先端を垂直方向に屈折させた端子にヒューズの端子を差し込み接続する際に、ヒューズを押し込む力を水平屈折部で受け止め、垂直配置部に形成した細幅のヒュージブルリンク部に集中応力が発生しないようにしているため、ヒュージブルリンク部の保護を図ることができる。さらに、上記のようにバスバーをモールドしたり、ランス部により係止するため、バスバーはバスバー用ケースに強固に固定され、この点からもヒューズ差し込み時にバスバーが移動したり、ヒュージブルリンク部が変形したりすることを防止できる。
【００３１】
さらに、バスバーの下端に外部回路接続用端子を設け、電線端末の端子と嵌合接続させているため、電源線とワンタッチ接続でき、従来のボルト締め等と比較して作業性を飛躍的に向上させることができる。
【図面の簡単な説明】
【図１】  （Ａ）は本発明の第１実施形態に係るリレーボックスの上面図、（Ｂ）はＩ−Ｉ線断面図である。
【図２】  ブロック本体の側面図である。
【図３】  （Ａ）はバスバー用ケースの側面図、（Ｂ）は下面図、（Ｃ）はＩＩ−ＩＩ線断面図である。
【図４】  （Ａ）はバスバーの展開図、（Ｂ）は側面図である。
【図５】  第２実施形態を示し、（Ａ）（Ｂ）は要部断面図である。
【図６】  第３実施形態を示す要部断面図である。
【図７】  （Ａ）は従来のリレーボックスの斜視図、（Ｂ）は側面図である。
【符号の説明】
１０  リレーボックス
１１  ブロック本体
１２  ヒューズ収容部
１３  リレー収容部
１５  ケース収容部
１８  バスバー用ケース
１８ａ  上端載置部
１８ｂ  垂直部
２５  バスバー
２５ａ  垂直配置部
２５ｂ  水平屈折部
２５ｃ  ヒューズ接続用の端子
２５ｅ  外部回路接続用端子
２５ｆ、２５ｇ  ヒュージブルリンク部
３０  ヒューズ
４０  保護枠
【図１】
0004029588.tif 000002
【図２】
0004029588.tif 000003
【図３】
0004029588.tif 000004
【図４】
0004029588.tif 000005
【図５】
0004029588.tif 000006
【図６】
0004029588.tif 000007
【図７】
0004029588.tif 000008